(57)【要約】【課題】消火器の取り出し作業及び格納作業を容易且つ迅速に行うことができる貨物車の消火器格納ボックスを提供する。【解決手段】消火器Ｓを格納する本体３１と、この本体３１に回動開閉可能に取り付けられた蓋体３２とを備える。本体３１の内部に、消火器Ｓを支承する支承部材４を設けた。蓋体３２に閉蓋状態で支承部材４との間で消火器Ｓを挟み込んで当該消火器Ｓを固定する固定部材５を設けた。【選択図】　　　図４
2004058803.tif 000002
【特許請求の範囲】
【請求項１】
貨物車に装備される消火器格納ボックスであって、
消火器を格納する本体と、この本体に回動開閉可能に取り付けられた蓋体とを備え、
前記本体の内部に、消火器を支承する支承部材を設け、
前記蓋体に、閉蓋状態で前記支承部材との間で消火器を挟み込んで当該消火器を固定する固定部材を設けたことを特徴とする貨物車の消火器格納ボックス。
【請求項２】
車体の側面に沿ってホース収納ボックスを設けたタンクローリに装備される消火器格納ボックスであって、
消火器を格納する本体と、この本体に回動開閉可能に取り付けられた蓋体とを備え、
前記本体の内部に、消火器を支承する支承部材を設け、
前記蓋体に、閉蓋状態で前記支承部材との間で消火器を挟み込んで当該消火器を固定する固定部材を設けているとともに、
前記本体を、前記ホース収納ボックスの端部に連続させて、当該ホース収納ボックスの本体と同一断面形状にて一体形成していることを特徴とする貨物車の消火器格納ボックス。
【発明の詳細な説明】
【０００１】
【発明の属する技術分野】
この発明は、貨物車の消火器格納ボックスに関する。
【０００２】
【従来の技術】
従来、危険物積載車両については、消防法等によって消火器を搭載することが義務付けられている。このため、危険物を積載するタンクローリには、図５に示すように、車体１０１の側面等に格納ボックス１０２を設け、この格納ボックス１０２に消火器を格納している。
前記格納ボックス１０２は、通常、車体１０１の側面に沿って設けられたホース収納ボックス１０４の下方の空きスペース１０５に配置されており、必要時に車体１０１の側方に引き出し可能になっている。また、前記格納ボックス１０２は、その内部に格納した消火器を、バックルとバンドとを用いて締め付けることにより当該ボックス１０２に固定している。
【０００３】
【発明が解決しようとする課題】
前記格納ボックス１０２に格納した消火器は、荷卸し毎に格納ボックス１０２から取り出して、荷卸し作業の現場に配置する必要がある。ところが、格納ボックス１０２から消火器を取り出すには、当該格納ボックス１０２の蓋を開け、格納ボックス本体に取り付けられているバックルを操作してバンドを緩めて消火器を解放する必要がある。また、一旦取り出した消火器を格納ボックス１０２に格納するには、バックルを操作してバンドで消火器を締め付け固定した後、格納ボックス１０２の蓋を閉じる必要がある。このため、消火器の取り出し作業及び格納作業が煩わしいという問題かあった。
この発明は前記問題点に鑑みてなされたものであり、消火器の取り出し作業及び格納作業を容易且つ迅速に行うことができる貨物車の消火器格納ボックスを提供することを目的とする。
【０００４】
【課題を解決するための手段】
前記目的を達成するためのこの発明の貨物車の消火器格納ボックスは、貨物車に装備される消火器格納ボックスであって、消火器を格納する本体と、この本体に回動開閉可能に取り付けられた蓋体とを備え、前記本体の内部に、消火器を支承する支承部材を設け、前記蓋体に、閉蓋状態で前記支承部材との間で消火器を挟み込んで当該消火器を固定する固定部材を設けたことを特徴としている。
このような構成の消火器格納ボックスによれば、蓋体に設けた固定部材と、本体に設けた支承部材との間で消火器を挟み込んで当該消火器を固定するものであるので、蓋体を開閉するだけで消火器を固定したり解放したりすることができる。
【０００５】
この発明の他の貨物車の消火器格納ボックスは、車体の側面に沿ってホース収納ボックスを設けたタンクローリに装備される消火器格納ボックスであって、消火器を格納する本体と、この本体に回動開閉可能に取り付けられた蓋体とを備え、前記本体の内部に、消火器を支承する支承部材を設け、前記蓋体に、閉蓋状態で前記支承部材との間で消火器を挟み込んで当該消火器を固定する固定部材を設けているとともに、前記本体を、前記ホース収納ボックスの端部に連続させて、当該ホース収納ボックスの本体と同一断面形状にて一体形成していることを特徴としている。
この格納ボックスについても、前記と同様に蓋体を開閉するだけで消火器を固定したり解放したりすることができる。また、前記本体をホース収納ボックスの端部に連続させて当該ホース収納ボックスと同一断面にて一体形成しているので、従来のホース収納ボックスを延長するだけで前記本体を構成することができる。
【０００６】
【発明の実施の形態】
以下この発明の実施の形態について添付図面を参照しながら説明する。
図１はこの発明の貨物車の消火器格納ボックスを装備したタンクローリ１を示す側面図である。このタンクローリ１は、車体１１に搭載したタンク１２の底部側の側面に沿って長尺のホース収納ボックス２を設けている。このホース収納ボックス２には、タンク１２に収容したガソリン等の積み荷を荷卸しする際に、タンク１２の吐出口１４に接続される長尺のホースＨが収容されている（図２参照）。
【０００７】
前記ホース収納ボックス２は、ホースＨを収容する断面略コの字状の本体２１と、この本体２１の側面の開口部２１ａを覆う蓋体２２とからなり、この蓋体２２は前記開口部２１ａの下側の縁部にヒンジ２３を介して回動自在に連結されている。前記本体２１及び蓋体２２はアルミニウム合金製の押出成形品で形成されている。
【０００８】
前記ホース収納ボックス２の前端部には、消火器格納ボックス３が設けられている。この消火器格納ボックス３は、図３に示すように、消火器Ｓを格納する断面略コの字形の本体３１と、この本体３１の側面の開口部３１ａを覆う蓋体３２とからなり、この蓋体３２は前記開口部３１ａの下側の縁部にヒンジ３３を介して回動自在に連結されている。前記本体３１はホース収納ボックス２の本体２１と一体形成されたアルミニウム合金製の押出成形品で形成されており、したがってその断面形状はホース収納ボックス２の本体２１の断面形状と同じである。また、蓋体３２についてもアルミニウム合金製の押出成形品で構成されており、その断面形状はホース収納ボックス２の蓋体２２の断面形状と同じである。
【０００９】
前記消火器格納ボックス３は、車体１１の前後方向に沿って延びており、消火器Ｓは、その軸線を車体１１の前後方向に向けた状態で格納される。この消火器格納ボックス３の本体３１の内部には、消火器Ｓの本体容器Ｓ１を支承する支承部材４が設けられている。この支承部材４は略Ｌ字形の金属部材４１にゴム部材４２を取り付けたものである。前記金属部材４１の上面には、消火器Ｓの本体容器Ｓ１にほぼ合致する円弧面４３が形成されており、この円弧面４３が前記ゴム部材４２によって覆われている。なお、前記円弧面４３の前記開口部３１ａ側の端部は、消火器Ｓが開口部３１ａから転げ落ちないように中央部よりも漸次盛り上がっている。
【００１０】
前記ゴム部材４２は断面がＵ字形のものであり、その溝部分に前記金属部材４１を導入することによって当該金属部材４１に取り付けられている。前記金属部材４１は、本体容器Ｓ１の軸方向に沿って所定間隔離して一対設けられており、それぞれ車体１１の前後方向に延びるベース板４４を介して本体３１の底部に固定されている。
前記ベース板４４の前端部には、消火器Ｓの本体容器Ｓ１の底部を受け止める受け板３３が、後端部には本体容器Ｓ１の口金Ｓ２を掛止させるストッパ３４がそれぞれ立設されており、これら受け板３３及びストッパ３４によって、消火器Ｓの軸方向の格納位置が規定されている。なお、前記本体３１の前端部は、側板３５によって閉塞されている。
【００１１】
蓋体３２には、閉蓋時において前記支承部材４との間で消火器Ｓを挟み込んでこれを固定する固定部材５が設けられている。この固定部材５は、側面形状が略Ｌ字形を呈する金属部材５１に一対のゴム部材５２を取り付けたものである。前記金属部材５１には、消火器Ｓの本体容器Ｓ１にほぼ合致する巾広の円弧面５３が形成されており、この円弧面５３の両側に断面がＵ字形の前記ゴム部材５２が取り付けられている。
【００１２】
さらに、前記蓋体３２には閉蓋時に開くのを規制するロック部材６が設けられている。このロック部材６は、図４に示すように、筐体６１に上下方向へスライド可能に支持されたスライダ６２と、このスライダ６２を上方へ付勢するばね６３と、前記スライダ６２をばね６３の付勢力に抗して押し下げるレバー６４とを備えている。
前記スライダ６１は、自由状態においてばね６３の付勢力により筐体６１の上部から突出しており、この状態で本体３１の天板部に垂下形成された被掛止部３７の内側面に掛止され、これにより蓋体３２が開くのが規制されている。また、この掛止状態から前記レバー６４を回動させることにより、当該掛止状態を解除して、蓋体３２を開くことができる（図４二点鎖線参照）。
【００１３】
なお、本体３１の開口部３１ａ側の上面には、開放ストッパー７が設けられている。この開放ストッパー７は水平軸回りに回動可能なレバー７１を有しており、このレバーを弊蓋後に垂下位置に回動させることにより（図３二点鎖線参照）、一旦閉じた蓋体３２が開くのをロック部材６とともに二重に防止することができる。
また、ホース収納ボックス２の蓋体２２にも前記ロック部材６と同様なロック部材が設けられている。
【００１４】
以上の構成の消火器格納ボックス３によれば、消火器Ｓを本体３１の支承部材４に載置した状態で蓋体３２を閉じると、前記支承部材４と蓋体３２側の固定部材５との間で消火器Ｓの本体容器Ｓ１を挟み込んで固定することができる。また、蓋体３２を開くことにより、前記固定状態を解除して消火器Ｓを本体３１から取り出すことができる。このため、バックル及びバンドによって消火器を締め付けたり開放したりする従来の操作が不要となり、消火器Ｓを容易且つ迅速に取り出したり格納したりすることができる。しかも、消火器格納ボックス３の本体３１を、前記ホース収納ボックス２の本体２１と同一断面形状として、当該本体３１と一体成形しているので、従来のホース収納ボックスを延長するだけで消火器格納ボックス３の本体３１を構成することができる。このため、これを別途形成する場合に比べて製造コストを安くすることができる。
【００１５】
前記消火器格納ボックス３は、ホース収納ボックス２の後端に連続させて設けても良い。また、前記消火器格納ボックス３はタンクローリ以外の種々の貨物車の消火器格納ボックスとして使用することができる。
【００１６】
【発明の効果】
以上のように、この発明の貨物車の消火器格納ボックスは、蓋体を開閉するだけで消火器を固定したり解放したりすることができるので、その取り出しや格納を容易且つ迅速に行うことができる。
特に消火器格納ボックスの本体を、ホース収納ボックスの端部に連続させて当該ホース収納ボックスと同一断面にて一体形成している場合には、従来のホース収納ボックスを延長するだけで前記本体を構成することができるので、当該本体を別途形成する場合に比べて製造コストを安くすることができる。
【図面の簡単な説明】
【図１】この発明の貨物車の消火器格納ボックスを設けたタンクローリの側面図である。
【図２】ホース収納ボックスの断面図である。
【図３】消火器格納ボックスの内部を示す斜視図である。
【図４】消火器格納ボックスの断面図である。
【図５】従来の消火器格納ボックスを設けたタンクローリの要部側面図である。
【符号の説明】
１　　タンクローリ
２　　ホース収納ボックス
２１　本体
３　　消火器格納ボックス
３１　本体
３２　蓋体
４　　支承部材
５　　固定部材
６　　係止部材
Ｓ　　消火器
【図１】
2004058803.tif 000003
【図２】
2004058803.tif 000004
【図３】
2004058803.tif 000005
【図４】
2004058803.tif 000006
【図５】
2004058803.tif 000007